(57)【要約】【課題】パーツカセットの形状に対応して変形が可能で、軽量で簡潔な構造であるパーツカセット収納装置を提供すること。【解決手段】本発明のパーツカセット収納装置は、電子部品がテープ状のテープ部材上に取付けられ、テープ部材が巻かれて収納されているパーツカセット（５０）を収納するパーツカセット収納装置であって、パイプで作成されるフレーム（１）と、取り出される、もしくは収納されるパーツカセット（５０）の位置を表示する表示器（４）と、収納されるパーツカセット（５０）の位置に対応して表示器（４）が取り付けられる表示器取付部材（２）と、パーツカセット（５０）をフレーム（１）に固定するホルダと、ホルダにパーツカセット（５０）が収納されていることを検知するスイッチ（８）と、ホルダが取付けられるホルダ取付部材と、スイッチ（８）からの信号を受信し、表示器（４）の表示を制御する演算装置（７）と、を具備する。【選択図】　図１
2004134676.tif 000002
【特許請求の範囲】
【請求項１】
電子部品がテープ状のテープ部材上に取付けられ、前記テープ部材が巻かれて収納されているパーツカセットを収納するパーツカセット収納装置において、
パイプで作成されるフレームと、
取り出される、もしくは収納される前記パーツカセットの位置を表示する表示器と、
収納される前記パーツカセットの位置に対応して前記表示器が取り付けられる表示器取付部材と、
前記パーツカセットを前記フレームに固定するホルダと、
前記ホルダに前記パーツカセットが固定されていることを検知するスイッチと、
前記ホルダが取付けられるホルダ取付部材と、
前記スイッチからの信号を受信し、前記表示器の表示を制御する演算装置と、を具備する、
パーツカセット収納装置。
【請求項２】
前記表示器と前記演算装置が、二線式送受電通信方法で接続される、
請求項１に記載されたパーツカセット収納装置。
【請求項３】
前記表示器取付部材は、長手方向に取付けられた２本の表示器用電極を具備し、
前記表示器用電極は前記表示器と接触可能な長手方向の部位を具備し、
前記表示器は前記表示器取付部材の長手方向の任意の位置に取付けられ、かつ、移動可能である、
請求項２に記載されたパーツカセット収納装置。
【請求項４】
前記スイッチと前記演算装置が、二線式送受電通信方法で接続される、
請求項１〜３のいずれかに記載されたパーツカセット収納装置。
【請求項５】
前記ホルダ取付部材は、長手方向に２本のスイッチ用電極を具備し、
前記スイッチ用電極は前記スイッチと接触可能な長手方向の部位を具備し、
前記スイッチは前記ホルダ取付部材の長手方向の任意の位置に取付けられ、かつ、移動可能である、
請求項４に記載されたパーツカセット収納装置。
【請求項６】
前記表示器と前記演算装置が、二線式送受電通信方法で接続され、
前記表示器取付部材は、長手方向に取付けられた２本の表示器用電極を具備し、
前記表示器用電極は前記表示器と接触可能な長手方向の部位を具備し、
前記表示器は前記表示器取付部材の長手方向の任意の位置に取付けられ、かつ、移動可能であり、
前記スイッチと前記演算装置が、二線式送受電通信方法で接続され、
前記ホルダ取付部材は、長手方向に２本のスイッチ用電極を具備し、
前記スイッチ用電極は前記スイッチと接触可能な長手方向の部位を具備し、
前記スイッチは前記ホルダ取付部材の長手方向の任意の位置に取付けられ、かつ、移動可能であり、
前記表示器と前記スイッチは一体に作成されもしくは連結され、一体で移動可能である、
請求項１に記載されたパーツカセット収納装置。
【請求項７】
前記フレームを形成する前記パイプ、前記表示器取付部材と前記ホルダ取付部材は取り外し可能に組み立てられる、
請求項１〜６のいずれかに記載されたパーツカセット収納装置。
【請求項８】
前記表示器取付部材と前記ホルダ取付部材は、レール状の部材で作成される、請求項１〜７のいずれかに記載されたパーツカセット収納装置。
【発明の詳細な説明】
【０００１】
【発明の属する技術分野】
本発明は、パーツカセット収納装置に関し、特にパイプ状の部材で作成され、さらに、取出し、収納するパーツカセットを表示する電気機器を具備するパーツカセット収納装置に関する。
【０００２】
【従来の技術】
電子部品がテープ状のテープ部材上に設置され、テープ部材を巻き込んで収納しているパーツカセットが使用されている。パーツカセットには、通常一種類の電子部品が収められる。パーツカセットは、電子部品装填装置に装填され、電子部品装填装置は、パーツカセットのテープ部材から電子部品を取り外して、組み立てる基板等に取付ける。電子部品装填装置の例が、特許文献１に示される（特許文献１参照）。
【０００３】
パーツカセットは、電子部品装填装置に複数取付けられ、組み立てられる製品の機種を変更する毎に取り替えられる場合がある。電子部品装填装置に取付けられたパーツカセットが誤っていると、誤った電子部品が製品に取付けられ、不良品が生産されてしまう。
【０００４】
パーツカセットは、電子部品がテープ上に並べて取付けられたテープ部材を巻いて格納している。パーツカセットは、類似の形状を有し、異なる電子部品を格納しているので、作業者は誤ってパーツカセットを選択する場合がある。また、作業者は、パーツカセット収納装置に格納されている複数のパーツカセットから目的のパーツカセットを探すのに時間が掛かる場合がある。作業者はパーツカセットをラベルや番号で識別する場合は、探すのに時間が掛かる上、誤って選択する場合がある。
さらに、パーツカセットは、種類によって異なる幅や長さを有する場合がある。
【０００５】
使用されていないパーツカセットは、棚などに格納されている。この棚に、取り出されるパーツカセットの位置、もしくは、収納されるパーツカセットの位置を表示する表示器が設置される場合がある。
従来の鉄骨材と鉄板で作成されている棚では、多くパーツカセットを収納する場合、パーツカセットの重量に耐え得る構造とすると重量が重くなる。さらに異なる形状のパーツカセットを収納する場合に、棚の形状を変更することができない、もしくは、変更に制限が発生する場合がある。特に、棚に表示器もしくはスイッチなどの電気部品が設置されている場合、電気部品の位置の変更のため、取外しや取付けに労力が掛かる場合がある。
【０００６】
簡単に、パーツカセットの形状に対応して変形が可能なパーツカセット収納装置が好ましい。さらに、軽量で簡潔な構造のパーツカセット収納装置が好ましい。さらに、表示器など電気部品の位置の変更が容易であるパーツカセット収納装置が好ましい。
【０００７】
一基の親機に対して複数設置される子機の間を、２本の電力線を介して電力および相互通信が可能な二線式送受電通信方法及び装置の発明がある（例えば、特許文献２）。
【０００８】
【特許文献１】
特開平１１−７４６９０号公報
【特許文献２】
特許第２７８７９７６号公報
【０００９】
【発明が解決しようとする課題】
本発明の目的は、格納するパーツカセットの形状に対応して変形が可能なパーツカセット収納装置を提供することにある。
本発明の他の目的は、軽量で簡潔な構造のパーツカセット収納装置を提供することにある。
本発明の更に他の目的は、表示器とスイッチの少なくともいずれかを含む電気機器の位置の変更が容易であるパーツカセット収納装置を提供することにある。
【００１０】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１１】
本発明のパーツカセット収納装置は、電子部品がテープ状のテープ部材上に取付けられ、テープ部材が巻かれて収納されているパーツカセット（５０）を収納するパーツカセット収納装置であって、パイプで作成されるフレーム（１）と、取り出される、もしくは収納されるパーツカセット（５０）の位置を表示する表示器（４）と、収納されるパーツカセット（５０）の位置に対応して表示器（４）が取り付けられる表示器取付部材（２）と、パーツカセット（５０）をフレーム（１）に固定するホルダと、ホルダにパーツカセット（５０）が固定されていることを検知するスイッチ（８）と、ホルダが取付けられるホルダ取付部材と、スイッチ（８）からの信号を受信し、表示器（４）の表示を制御する演算装置（７）と、を具備する。
【００１２】
さらにパーツカセット収納装置は、表示器（４）と演算装置（７）が、二線式送受電通信方法で接続される。
【００１３】
さらにパーツカセット収納装置の表示器取付部材（２）は、長手方向に取付けられた２本の表示器用電極（１０−１、１０−２）を具備し、表示器用電極（１０−１、１０−２）は表示器（４）と接触可能な長手方向の部位を具備し、表示器（４）は表示器取付部材（２）の長手方向の任意の位置に取付けられ、かつ、移動可能である。
【００１４】
さらにパーツカセット収納装置のスイッチ（８）と演算装置（７）が、二線式送受電通信方法で接続される。
【００１５】
さらにパーツカセット収納装置のホルダ取付部材は、長手方向に２本のスイッチ用電極（１１−１、１１−２）を具備し、スイッチ用電極（１１−１、１１−２）はスイッチ（８）と接触可能な長手方向の部位を具備し、スイッチ（８）はホルダ取付部材（３）の長手方向の任意の位置に取付けられ、かつ、移動可能である。
【００１６】
さらにパーツカセット収納装置は、表示器（４）と演算装置（７）が、二線式送受電通信方法で接続され、表示器取付部材（２）は、長手方向に取付けられた２本の表示器用電極（１０−１、１０−２）を具備し、表示器用電極（１０−１、１０−２）は表示器（４）と接触可能な長手方向の部位を具備し、表示器（４）は表示器取付部材（２）の長手方向の任意の位置に取付けられ、かつ、移動可能である。
さらに、スイッチ（８）と演算装置（７）が、二線式送受電通信方法で接続され、ホルダ取付部材は、長手方向に２本のスイッチ用電極（１１−１、１１−２）を具備し、スイッチ用電極（１１−１、１１−２）はスイッチ（８）と接触可能な長手方向の部位を具備し、スイッチ（８）はホルダ取付部材（３）の長手方向の任意の位置に取付けられ、かつ、移動可能である。さらに、表示器（４）とスイッチ（８）は一体に作成されもしくは連結され、一体で移動可能である場合がある。
【００１７】
さらにパーツカセット収納装置は、フレーム（１）を形成するパイプ、表示器取付部材（２）とホルダ取付部材（３）は取り外し可能に組み立てられる。
【００１８】
さらにパーツカセット収納装置の表示器取付部材（２）とホルダ取付部材（３）は、レール状の部材で作成される。
【００１９】
【発明の実施の形態】
添付図面を参照して、本発明によるパーツカセット収納装置の実施の形態が以下に説明される。
図１に、本発明のパーツカセット収納装置の概要が示される。
図２に、本発明のパーツカセット収納装置の構成が示される。
図１および図２を参照して、本発明のパーツカセット収納装置が説明される。本発明のパーツカセット収納装置は、フレーム１、表示器取付部材２、ホルダ取付部材３、表示器４、ホルダ９、スイッチ８、ジャンクションボックス５、コントローラ６、演算装置７、記憶装置２０、バーコードリーダ３０を具備する。
【００２０】
フレーム１は、パイプ材で作成される。さらに、フレーム１を構成するパイプは、角部を形成する取付け治具に差込んで組み立てられ、取り外しが可能である。このため、使用されるパイプの長さにより、フレームの形状、もしくは大きさが変更可能である。
図１では、一段のパーツカセット５０が収納される例が示されているが、複数段収納できるようにフレーム１が組み立てられる場合がある。
フレーム１がパイプ材で作成されることで、鉄骨材および鉄板で作成される棚より軽量および簡潔な構造にすることができ、さらに、フレーム１が組替えることが可能なためパーツカセット５０の形状の変更に対応して形状を変更することができる。
【００２１】
表示器取付部材２は、パーツカセット５０が並べられる方向に概ね平行に、フレーム１に取付けられる。さらに、表示器取付部材２に、パーツカセット５０がパーツカセット収納装置に収められる位置に対応して、表示器４−ｉ（ｉは１〜ｎの間の自然数）が設置される。
表示器取付部材２の例が、図３に示される。表示器取付部材２に、複数の表示器４―ｉとジャンクションボックス５の接続の一部を介する２本の電極１０−１、１０−２が設置される。表示器４−ｉは、電極１０−１、１０−２と必要な端子が接触しながらスライドして動くことが可能である。
【００２２】
本発明では、一基の親機に対して複数設置される子機の間を、２本の電力線を介して電力および相互通信が可能な二線式送受電通信方法（特許第２７８７９７６号公報）が使用されるため、複数の表示器４−ｉを、２本の電力線で制御することができる。
二線式送受電通信方式が使用される場合、複数の表示器４−ｉに対して一基のコントローラ６が設置される。コントローラ６と表示器４−ｉの間にジャンクションボックス５が設置される場合がある。二線式送受電通信方式により、複数の表示器４−ｉとコントローラ６の間は、２本の電力線を介して送受電および相互通信ができ、複数の表示器４−ｉとコントローラ６の配線を２本に集合させることが可能である。このため複数の表示器４−ｉから演算装置７への配線を、簡潔にすることができる。
表示器４−ｉは、２本の電力線から受電した平衡パルス状の電力を整流し、この整流電力を用いて平衡パルス状の電力が表すパルス群データ成分の解読処理を行う機能を有する。
コントローラ６は、電力レベルを、指示データ含むパルス群データのレベル変化に従い遅延反転させて平衡パルスとなし送信する機能を有する。
【００２３】
図３では、表示器取付部材２として、長手方向に一部が開放した中空の形状の内部に電極１０−１、１０−２が設置されている例が示されている。電極１０−１、１０−２は長手方向に、表示器４−ｉと接触可能な部位を有する。但し、表示器取付部材２は、長手方向に電極１０−１、１０−２が設置され、表示器４−ｉが電極１０−１、１０−２と接触して、移動可能に取り付けられる形状であれば、図３に示される形状に限定されない。具体的には、表示器４−ｉと表示器取付部材２の凸凹が噛み合って表示器４−ｉがスライドする場合、表示器４−ｉに開けられた穴を表示器取付部材２が貫通して表示器４−ｉがスライドする場合、治具もしくはボルトで表示器４−ｉが取り外し可能に表示器取付部材２に取付けられ、取り外して、位置を変更できる場合がある。
また、二線式送受電通信方法が使用されない場合は、各表示器４−ｉと演算装置７を電線で接続することも可能である。
【００２４】
ホルダ取付部材３は、パーツカセット５０が並べられる方向に概ね平行に、フレーム１に取付けられる。ホルダ取付部材３にはパーツカセット５０を固定するためのホルダ９−ｉが取付けられる。
スイッチ８−ｉがホルダ９−ｉもしくはホルダ取付部材３に取付けられ、かつ、スイッチ８−ｉと演算装置７が二線式送受電通信方法で接続される場合は、ホルダ取付部材３に電極１１―１、１１―２が取付けられる場合がある。ホルダ９−ｉおよびスイッチ８−ｉは、上記で説明された、表示器４−ｉと表示器取付部材２の関係と同様に、ホルダ取付部材３に移動可能に取付けられる場合がある。二線式送受電通信方法は、上記で説明された表示器４−ｉの接続方法と同様なので説明は省略される。
【００２５】
表示器４−１〜４−ｎ（表示器４−ｉは１〜ｎの任意の表示器）は、発光部を具備し、演算装置７からの信号により発光部を点灯・消灯する。二線式送受電通信方法を使用する場合、表示器４−ｉは、２本の電力線から受電した平衡パルス状の電力を整流し、この整流電力を用いて平衡パルス状の電力が表すパルス群データ成分の解読処理を行う機能を有する。
表示器４−ｉは、表示器取付部材２に移動可能に取付けられる。さらに、表示器４―ｉは、取付けられた位置で電極１０−１、１０−２に接触可能な端子を有する。
【００２６】
ホルダ９−ｉ（ホルダ９−ｉは１〜ｎの任意のホルダ）は、ホルダ取付部材３に取付けられる。ホルダ９−ｉは、パーツカセット５０を保持する部分を有し、パーツカセット５０を取り外し可能に固定する事ができる。さらに、ホルダ９−ｉは、ホルダ取付け部材３に移動可能に取付けられる場合がある。ホルダ９―ｉにスイッチ８−ｉが取付けられる場合がある。
【００２７】
スイッチ８―ｉ（スイッチ８−ｉは１〜ｎの任意のスイッチ）は、パーツカセット５０がホルダ９にセットされているかを検知する。スイッチ８―ｉは、パーツカセット５０により押し下げされるスイッチもしくはパーツカセット５０の一部を介して電流が流れる電極、光センサなどのセンサでもよい。
スイッチ８−ｉがホルダ９に取付けられる場合、もしくはホルダ取付け部材３に取付けられる場合がある。複数のスイッチ８−ｉと演算装置７は、電極１１−１、１１−２を介して二線式送受電通信方法で接続される場合がある。
スイッチ８−ｉは、ホルダ取付け部材３に対して移動可能に取り付けられる場合がある。
【００２８】
ジャンクションボックス５は、複数の配線を切り替える切替器で、電極１０−１、１０−２、電極１１−１、１１−２が接続され、これらの電極との信号の送受信をコントローラ６に切り替えて接続することができる。
【００２９】
コントローラ６は、二線式送受電通信方法を使用する場合にせ設置され、２本の電力線から受電した平衡パルス状の電力を整流し、この整流電力を用いて平衡パルス状の電力が表すパルス群データ成分の解読処理を行う機能、および、電力レベルを、指示データ含むパルス群データのレベル変化に従い遅延反転させて平衡パルスとなし送信する機能を有する。
コントローラ６は、ジャンクションボックス５および演算装置７と接続される。
【００３０】
演算装置７は、ＣＰＵを具備するコンピュータに例示される。
演算装置７は、表示器４−ｉの点灯・消灯の制御、スイッチ８−ｉからの信号を検知して、パーツカセット５０の格納の有無を検知することができる。
さらに、ストッカー・カセット位置テーブル２１を検索して、パーツカセット５０の、パーツカセット収納装置における格納位置を取得することができる。さらに、部品装填装置・作成機種テーブル２２を検索して、電子部品装填装置で作成される製品に対応して使用されるパーツカセット５０を検索することができる。
演算装置７の動作は後述される。
【００３１】
記憶装置２０は、ハードディスクに代表される記憶装置で、ストッカー・カセット位置テーブル２１と部品装填装置・作成機種テーブル２２を記録する。
ストッカー・カセット位置テーブル２１は、パーツカセット５０と、パーツカセット５０がパーツカセット収納装置に格納されている位置とを関連付ける情報を含む。
部品装填装置・作成機種テーブル２２は、電子部品装填装置および作成される製品と、使用されるパーツカセット５０とを関連付ける情報を含む。
【００３２】
バーコードリーダ３０は、パーツカセット５０のバーコード５１を読み取って、演算装置７に送信する。
【００３３】
パーツカセット５０は、電子部品がテープ上に並べて取付けられたテープ部材を巻いて格納している。パーツカセット５０は類似の形状に異なる電子部品を格納しているので、識別の為に、パーツカセット５０の形状や格納する部品を識別するために、バーコード５１が取付けられている場合がある。
【００３４】
演算装置７は、パーツカセット収納装置からパーツカセット５０を取り出す場合、以下の動作を行う。
作業者により、使用される電子部品装填装置の種類と、電子部品装填装置で製作される製品の種類が、入力装置（図示無し）から演算装置７に入力される。
演算装置７は、部品装填装置・作成機種テーブル２２を参照して入力された電子部品装填装置と製品の種類から、電子部品装填装置に取付けられるパーツカセット５０の識別番号を検索する。演算装置７は、複数のパーツカセット５０が取付けられる場合、取付けられる順番にパーツカセット５０の識別番号を取得する。次に、演算装置７は、ストッカー・カセット位置テーブルを参照して、取り出されるパーツカセット５０が格納されているパーツカセット収納装置内の位置を検索する。演算装置７は、取り出されるパーツカセット５０の位置の表示器４−ｉを点灯させるように信号を送信する。表示器４−ｉが点灯して、作業者により正しいパーツカセット５０が取り外された場合、演算装置７は、スイッチ８−ｉから信号を受信して正しいパーツカセット５０が取り外されたことを検知し、表示器４−ｉを消灯するように信号を送信する。
作業者により誤ったパーツカセット５０が取り外された場合、演算装置７は、スイッチ８−ｉから信号を受信して誤ったパーツカセット５０が取り外されたことを検知し、警報装置（図示無し）などで注意を喚起する表示やブザーを鳴らすように制御する。
作業者は取り外したパーツカセット５０が正しいことを確認するため、パーツカセット５０に取付けられたバーコード５１をバーコードリーダ３０で読み取らせることで、演算装置７が確認して正誤の表示や、電子部品装填装置における設置場所の指示を表示させることもできる。
【００３５】
演算装置７は、パーツカセット５０をパーツカセット収納装置へ戻す場合、以下の動作を行う。
作業者は電子部品装填装置からパーツカセット５０を取り外し、パーツカセット５０のバーコード５１をバーコードリーダ３０で読み取らせる。
演算装置７は、バーコードリーダ３０から読み取られたバーコード５１情報を受信して、パーツカセット５０の識別番号を取得する。次に演算装置７は、ストッカー・カセット位置テーブルを参照して、当該パーツカセット５０の格納位置を取得し、格納位置の表示器４−ｉを点灯させる。作業者がパーツカセット５０を正しい位置に格納した場合、スイッチ８−ｉはパーツカセット５０が正しい位置に格納されたことを検知して演算装置７に送信し、演算装置７は表示器４−ｉを消灯させる。
作業者がパーツカセット５０を誤った位置に格納した場合、スイッチ８−ｉはパーツカセット５０が誤った位置に格納されたことを検知して演算装置７に送信し、演算装置７は警報装置（図示無し）などで注意を喚起する表示やブザーを鳴らすように制御する。
【００３６】
上記のように、フレーム１が組換え可能なパイプで組み立てられ、必要に応じて組替えられることにより、フレーム１を異なるパーツカセットの形状やサイズに対応させることが可能である。さらに、フレーム１がパイプで作成されることにより、強度が強く、かつ構造が簡潔なフレームを作成することができる。
さらに、パーツカセット収納装置からのパーツカセット５０の取出しや格納を指示するための電気部品がパーツカセット収納装置に取付けられている場合、電気部品の位置を変更することが可能な構造にすることで、パーツカセット５０の形状やサイズに対応して、電気部品の位置を変更することができる。特に異なる幅のパーツカセットを格納する場合、パーツカセットが並べられる間隔を変更するために電気部品の位置が変更できることが好ましい。
さらに、二線送受電通信方式を使用することで、電気部品が取付けられる部材に、電極を取付けることで複数の電子部品と接続が可能なため、異なる長さの電極付き部材を用意すれば、簡単にフレーム形状の変更に対応することができる。
【００３７】
【発明の効果】
本発明のパーツカセット収納装置は、パーツカセットの形状に対応して変形が可能である。
本発明のパーツカセット収納装置は、軽量で簡潔な構造である。
本発明のパーツカセット収納装置は、表示器、スイッチの少なくともいずれかを含む電気部品の位置の変更が容易である。
【図面の簡単な説明】
【図１】図１はパーツカセット収納装置の概要を示す。
【図２】図２はパーツカセット収納装置の構成を示す。
【図３】図３は、表示器取付部材の例を示す。
【符号の説明】
１　フレーム
２　表示器取付部材
３　ホルダ取付部材
４、４−１〜４−ｎ　表示器
５　ジャンクションボックス
６　コントローラ
７　演算装置
８、８−１〜８−ｎ　スイッチ
９、９−１〜９−ｎ　ホルダ
１０−１、１０−２　（表示器用）電極
１１−１、１１−２　（スイッチ用）電極
２０　記憶装置
２１　ストッカー・カセット位置テーブル
２２　部品装填装置。作成機種テーブル
５０　パーツカセット
５１　バーコード
【図１】
2004134676.tif 000003
【図２】
2004134676.tif 000004
【図３】
2004134676.tif 000005